(57)【要約】      （修正有）【課題】サイドリンクを構成する装置間において同期を確立するための無線通信方法、装置およびコンピュータプログラムプロダクトを提供する。【解決手段】第１のＵＥにおいてＧＮＳＳ等に基づく外部タイミング信号が利用可能であることを決定し、該タイミング信号を用いて第１のＵＥ自身を同期させ、該タイミング信号により第１のＵＥが同期していることを示す同期信号を他の装置に対して送信する。該装置は第１のＵＥを介して該タイミング信号に間接的に同期していることを示す同期信号をさらに送信することができる。【選択図】図９
2020025313.tif 000002
【特許請求の範囲】
【請求項１】
第１のユーザ機器（ＵＥ）における無線通信の方法において、
第１のＵＥにおいて第１のＧＮＳＳに基づくタイミング信号が利用可能であると決定することと、
前記第１のＧＮＳＳに基づくタイミング信号が利用可能であるとき前記第１のＧＮＳＳに基づくタイミング信号を用いて前記第１のＵＥを同期することと、
前記第１のＧＮＳＳに基づくタイミング信号を用いて前記第１のＵＥが同期されることを示す同期信号を送信することと、
を備える方法。
【請求項２】
前記同期信号は固定された同期シーケンスを備える、請求項１の方法。
【請求項３】
前記同期信号はリザーブビットを備える、請求項１の方法。
【請求項４】
前記リザーブビットは物理サイドリンクブロードキャストチャネル内にある、請求項３の方法。
【請求項５】
前記リザーブビットは、前記第１のＵＥが前記第１のＧＮＳＳに基づくタイミング信号に直接同期されることを示す、請求項３の方法。
【請求項６】
前記リザーブビットは、他のＵＥを介して前記第１のＧＮＳＳに基づくタイミング信号に前記第１のＵＥが間接的に同期されることを示す、請求項３の方法。
【請求項７】
前記第１のＵＥが前記第１のＧＮＳＳに基づくタイミング信号に直接同期されるとき第１の同期オフセットインジケータにより示されるリソース上に前記同期信号が送信される、請求項１の方法。
【請求項８】
前記第１のＵＥが他のＵＥを介して前記第１のＧＮＳＳに基づくタイミング信号に間接的に同期されるとき第２の同期オフセットインジケータにより示されるリソース上に前記同期信号が送信される、請求項１の方法。
【請求項９】
前記同期信号を用いることは固定巡回冗長コード（ＣＲＣ）マスクを物理サイドリンクブロードキャストチャネルに適用することを備える、請求項１の方法。
【請求項１０】
無線通信に関する装置において、
メモリと、
前記メモリに結合され、
第１のＧＮＳＳに基づくタイミング信号が第１のＵＥにおいて利用可能であることを決定し、
前記第１のＧＮＳＳに基づくタイミング信号が利用可能であるとき、前記第１のＧＮＳＳに基づくタイミング信号を用いて前記第１のＵＥを同期し、
前記第１のＧＮＳＳに基づくタイミング信号を用いて前記第１のＵＥが同期されることを示す同期信号を送信する、
ように構成された少なくとも１つのプロセッサと、
を備えた装置。
【請求項１１】
前記同期信号は固定された同期シーケンスを備える、請求項１０の装置。
【請求項１２】
前記同期信号はリザーブビットを備える、請求項１０の装置。
【請求項１３】
前記リザーブビットは物理サイドリンクブロードキャストチャネル内にある、請求項１２の装置。
【請求項１４】
前記リザーブビットは、前記第１のＵＥが前記第１のＧＮＳＳに基づくタイミング信号に直接同期されることを示す、請求項１２の装置。
【請求項１５】
前記リザーブビットは前記第１のＵＥが他のＵＥを介して前記第１のＧＮＳＳに基づくタイミングに間接的に同期される、請求項１２の装置。
【請求項１６】
前記少なくとも１つのプロセッサはさらに前記第１のＵＥが前記第１のＧＮＳＳに基づくタイミング信号に直接同期されるとき第１の同期オフセットインジケータにより示されるリソース上に前記同期信号を送信するように構成される、請求項１０の装置。
【請求項１７】
前記少なくとも１つのプロセッサはさらに、前記第１のＵＥが他のＵＥを介して前記第１のＧＮＳＳに基づくタイミング信号に間接的に同期されるとき第２の同期オフセットインジケータにより示されるリソース上に前記同期信号を送信するように構成される、請求項１０の装置。
【請求項１８】
前記同期信号を用いることは固定ＣＲＣマスクを物理サイドリンクブロードキャストチャネルに適用することを備える、請求項１０の装置。
【請求項１９】
第１のＵＥ無線通信のための装置において、前記装置は、
前記第１のＵＥにおいて前記１つまたは複数の同期信号の優先度を示す同期情報を含む１つまたは複数の同期信号を受信する手段と、
前記１つまたは複数の同期信号の優先度を示す前記情報に基づいて前記１つまたは複数の同期信号のいずれに同期するかを決定する手段と、
前記決定された優先順位にもとづいて前記１つまたは複数の同期信号の第１の同期信号に同期する手段と、
前記第１のＵＥが前記第１の同期信号に同期されることを示す同期信号を送信する手段と、
を備える装置。
【請求項２０】
前記同期信号は固定された同期シーケンスを備える、請求項１９の装置。
【請求項２１】
前記同期信号はリザーブビットを備える、請求項１９の装置。
【請求項２２】
前記リザーブビットは物理サイドリンクブロードキャストチャネル内にある、請求項２１の装置。
【請求項２３】
前記リザーブビットは前記第１のＵＥがＧＮＳＳに基づくタイミング信号に直接同期される、請求項２１の装置。
【請求項２４】
前記リザーブビットは前記第１のＵＥが他のＵＥを介してＧＮＳＳに基づくタイミング信号に間接的に同期される、請求項２１の装置。
【請求項２５】
前記同期信号は前記第１のＵＥがＧＮＳＳに基づくタイミング信号に直接同期されるとき第１の同期オフセットインジケータにより示されるリソース上に送信される、請求項１９の装置。
【請求項２６】
前記同期信号は、他のＵＥを介して前記第１のＵＥがＧＮＳＳに基づくタイミング信号に間接的に同期されるとき第２の同期オフセットインジケータにより示されるリソース上に送信される、請求項１９の装置。
【請求項２７】
前記同期信号を用いることは固定ＣＲＣマスクを物理サイドリンクブロードキャストチャネルに適用する手段を備える、請求項１９の装置。
【請求項２８】
無線通信のためのコンピュータ実行可能なコードを記憶するコンピュータ可読媒体において、前記コンピュータ実行可能なコードは、
前記第１のＵＥにおいて１つまたは複数の同期信号の優先度を示す同期情報を含む１つまたは複数の同期信号を受信し、
前記同期信号の前記優先度を示す前記情報に基づいて前記１つまたは複数の同期信号のいずれに同期するかを決定し、
前記決定された優先順位に基づいて前記１つまたは複数の同期信号のうちの第１の同期信号に同期し、
前記第１のＵＥが前記第１の同期信号に同期されることを示す同期信号を送信する、ためのコードを備える、コンピュータ可読媒体。
【請求項２９】
第１のＵＥにおける無線通信の方法において、
１つまたは複数の同期信号の優先度を示す同期情報を含む前記１つまたは複数の同期信号を受信することと、
前記同期信号の前記優先度を示す前記情報に基づいて前記１つまたは複数の同期信号のいずれに同期するかを決定することと、
前記優先順位に基づいて前記１つまたは複数の同期信号の前記同期信号の第１の同期信号に同期することと、
前記第１のＵＥが前記第１の同期信号に同期されることを示す同期信号を送信することと、
を備える、方法。
【請求項３０】
前記同期信号の前記優先度を示す前記情報は前記同期信号がＧＮＳＳ信号に基づくかどうかについての情報である、請求項２９の方法。
【発明の詳細な説明】
【関連出願の相互参照】
【０００１】
[0001]本願は、２０１５年７月２日に出願された「無線通信に関する同期(SYNCHRONIZATION FOR WIRELESS COMMUNICATION SYSTEMS)」と題された米国特許出願第14／790,908号の利益を主張し、それは、その全体がここに参照によって明確に組み込まれる。
【技術分野】
【０００２】
[0002]本開示は一般に、通信システムに関し、より具体的には、無線通信システムに関する同期に関する。
【背景技術】
【０００３】
[0003]  電話通信、映像、データ、メッセージング、ブロードキャストといったさまざまな電気通信サービスを提供するために、ワイヤレス通信システムが広く展開されている。典型的なワイヤレス通信システムは、利用可能なシステムリソース（例えば、帯域幅、送信電力）を共有することによって複数のユーザとの通信をサポートすることができる多元接続技術を用いることができる。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスに、市区町村レベル、国レベル、地方レベルだけでなく、世界的なレベルでの通信を可能にさせる、共通のプロトコルを提供するために、さまざまな電気通信規格に採用されている。例となる電気通信規格が、ロングタームエボリューション（ＬＴＥ(登録商標)：Long Term Evolution）である。ＬＴＥは、第３世代パートナシッププロジェクト（３ＧＰＰ(登録商標)）によって公表された、ユニバーサル・モバイル・テレコミュニケーション・システム（ＵＭＴＳ）モバイル規格を向上させたもののセットである。ＬＴＥは、スペクトル効率を改善すること、コストを下げること、サービスを改善すること、新たなスペクトルを使用すること、ならびに、ダウンリンク（ＤＬ）上でＯＦＤＭＡを、アップリンク（ＵＬ）上でＳＣ−ＦＤＭＡを、および多入力多出力（ＭＩＭＯ）アンテナ技術を使用して、他のオープン規格とより良好に統合することによって、モバイルブロードバンドインターネットアクセスをより良好にサポートするように設計されている。しかしながら、モバイルブロードバンドアクセスの需要が増加し続けるのに伴い、ＬＴＥ技術にはさらなる改良が必要とされている。望ましくは、これらの改良は、これらの技術を用いるその他の多元接続技術および電気通信規格に適用可能であるべきである。
【発明の概要】
【０００５】
[0005]本開示のある態様において、方法、コンピュータプログラム製品、および装置が提供される。本装置は第１の外部タイミングソースタイミング信号が第１のＵＥにおいて利用可能である。本装置はまた第１の外部タイミングソースタイミング信号が利用可能なとき第１の外部タイミングソースに基づいたタイミング信号を用いて第１のＵＥを同期化する。さらに、本装置は外部タイミングソースタイミング信号を用いて第１のＵＥが同期化されることを示す同期信号を送信する。
【０００６】
[0006]本開示のある態様において、方法、コンピュータプログラム製品、および装置が提供される。本装置は同期信号の優先度を示す同期情報を含む１つまたは複数の同期信号を受信する。さらに、同期化信号の優先度を示す情報に基づいて１つまたは複数の同期信号のいずれに同期させるかを決定する。本装置はまたは１つまたは複数の同期信号に同期する。
【図面の簡単な説明】
【０００７】
【図１】[0007]図１は、ネットワークアーキテクチャの一例を示す図である。
【図２】[0008]図２は、アクセスネットワークの一例を示す図である。
【図３】[0009]図３は、ＬＴＥにおけるＤＬフレーム構造の一例を例示する図である。
【図４】[0010]図４はＬＴＥにおけるＵＬフレーム構造の一例を例示する図である。
【図５】[0011]図５は、ユーザおよび制御プレーンのための無線プロトコルアーキテクチャの一例を例示する図である。
【図６】[0012]図６はアクセスネットワーク中の発展型ノードＢおよびユーザ機器の一例を例示する図である。
【図７】[0013]図７はデバイス間(device-to-device)通信システムの図である。
【図８】[0014]図８は本開示のいくつかの態様に従うＵＥまたは他の電子デバイスを同期させるためのデバイス間通信システムの図である。
【図９】[0015]図９は本開示のいくつかの態様に従うＵＥまたは他の電子デバイスを同期させるための例示方法のフローチャートである。
【図１０】[0016]図１０は本開示のいくつかの態様に従う受信機においてＵＥまたは他の電子デバイスを同期させるための方法のフローチャートである。
【発明を実施するための形態】
【０００８】
[0017]添付の図面に関連して以下に述べられる詳細な説明は、さまざまな構成の説明を意図したものであり、本明細書において説明される概念が実施されうる、唯一の構成を表すことを意図したものではない。詳細な説明は、さまざまな概念の完全な理解を提供するために、具体的な詳細を含む。しかしながら、これらの概念がこれらの具体的な詳細なしに実施され得ることは当業者にとって明らかであろう。いくつかの例において、そのような概念をあいまいにすることを避けるために、よく知られた構造およびコンポーネントがブロック図形式で示される。
【０００９】
[0018]電気通信システムのいくつかの態様がさまざまな装置および方法を参照して説明される。これらの装置および方法は以下の詳細な記述において説明され、さまざまなブロック、モジュール、コンポーネント、回路、ステップ、プロセス、アルゴリズム、等（集合的に「エレメント」と称す）により添付図面において例示される。これらのエレメントは電子ハードウェア、コンピュータソフトウェア、または任意のそれらの組み合わせを用いてインプリメントされることができる。そのようなエレメントがハードウェアとしてまたはソフトウェアとしてインプリメントされるかはシステム全体に課される特定のアプリケーションおよび設計制約に依存する。
【００１０】
[0019]例として、エレメント、またはエレメントの任意の一部、またはエレメントの任意の組み合わせは、１つまたは複数のプロセッサを含む「処理システム」でインプリメントされることができる。プロセッサの例は、本開示を通して説明されるさまざまな機能を実行するように構成された、マイクロプロセッサ、マイクロコントローラ、デジタルシグナルプロセッサ（ＤＳＰｓ）、フィールドプログラマブルゲートアレイ（ＦＰＧＡｓ）、プログラマブルロジックデバイス（ＰＬＤｓ）、ステートマシン、ゲートロジック、離散ハードウェア回路、および他の適切なハードウェアを含む。処理システムにおける１つまたは複数のプロセッサは、ソフトウェアを実行することができる。ソフトウェアは、ソフトウェア、ファームウェア、ミドルウェア、マイクロコード、ハードウェア記述言語と呼ばれる場合も、それ以外の名称で呼ばれる場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるべきである。
【００１１】
[0020]したがって、１つまたは複数の典型的な実施形態では、説明された機能は、ハードウェア、ソフトウェア、ファームウェア、またはこれらの任意の組み合わせでインプリメントされることができる。ソフトウェアでインプリメントされる場合、これらの機能は、コンピュータ読取可能な媒体上に、１つまたは複数の命令またはコードとして記憶されるか、あるいは１つまたは複数の命令またはコードとして符号化されることができる。コンピュータ読取可能な媒体は、コンピュータ記憶媒体を含む。記憶媒体は、コンピュータによってアクセスされることができる任意の利用可能な媒体であり得る。限定ではなく例として、そのようなコンピュータ読み取り可能媒体は、ランダムアクセスメモリ（ＲＡＭ）、読み出し専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスク記憶装置、磁気ディスク記憶装置または他の磁気記憶デバイス、コンピュータ読み取り可能媒体の前述のタイプの組み合わせ、あるいはコンピュータによってアクセスされることができるデータ構造または命令の形式でコンピュータ実行可能コードを記憶するために使用されることができる任意の他の媒体を備えることができる。
【００１２】
[0021]図１は、ＬＴＥネットワークアーキテクチャ１００を例示する図である。ＬＴＥネットワークアーキテクチャ１００は、発展型パケットシステム（ＥＰＳ：Evolved Packet System）１００と呼ばれることができる。ＥＰＳ１００は、１つまたは複数のユーザ機器（ＵＥ）１０２、発展型ＵＭＴＳ地上波無線アクセスネットワーク（Ｅ−ＵＴＲＡＮ）１０４、発展型パケットコア（ＥＰＣ）１１０、およびオペレータのインターネットプロトコル（ＩＰ）サービス１２２を含むことができる。ＥＰＳは、他のアクセスネットワークと相互接続することができるが、簡潔化のために、それらのエンティティ／インタフェースは、示されていない。示されているように、ＥＰＳは、パケット交換サービスを提供するが、当業者が容易に理解するであろうように、本開示全体を通じて提示される様々な概念は、回線交換サービスを提供するネットワークに拡張されることができる。
【００１３】
[0022]Ｅ−ＵＴＲＡＮは、発展型ＮｏｄｅＢ（ｅＮＢ）１０６および他のｅＮＢｓ１０８を含み、マルチキャスト協調エンティティ（ＭＣＥ：Multicast Coordination Entity）１２８を含むことができる。ｅＮＢ１０６は、ＵＥ１０２に対するユーザおよび制御プレーンプロトコルターミネーションを提供する。ｅＮＢ１０６は、バックホール（たとえば、Ｘ２インタフェース）を介して他のｅＮＢｓ１０８と接続されることができる。ＭＣＥ１２８は、発展型マルチメディアブロードキャストマルチキャストサービス（ＭＢＭＳ）（ｅＭＢＭＳ）についての時間／周波数無線リソースを割り当て、ｅＭＢＭＳのための無線構成（たとえば、変調およびコーディングスキーム（ＭＣＳ）を決定する。ＭＣＥ１２８は、別個のエンティティまたはｅＮＢ１０６の一部であり得る。ｅＮＢ１０６はまた、基地局、ＮｏｄｅＢ、アクセスポイント、ベーストランシーバ基地局、無線基地局、無線トランシーバ、トランシーバ機能、基本サービスセット（ＢＳＳ）、拡張サービスセット（ＥＳＳ）、または何らかの他の適した専門用語で呼ばれることができる。ｅＮＢ １０６は、ＵＥ １０２のためのＥＰＣ １１０へのアクセスポイントを提供する。ＵＥｓ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、映像デバイス、デジタルオーディオプレイヤ（たとえば、ＭＰ３プレイヤ）、カメラ、ゲーム機器、タブレット、または任意の他の同様に機能するデバイスを含む。ＵＥ １０２は、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、あるいはその他適切な用語でも呼ばれることができる。
【００１４】
[0023]ｅＮＢ１０６は、ＥＰＣ１１０に接続される。ＥＰＣ１１０は、モビリティ管理エンティティ（ＭＭＥ）１１２、ホーム加入者サーバ（ＨＳＳ）１２０、他のＭＭＥ１１４、サービングゲートウェイ１１６、マルチメディアブロードキャストマルチキャストサービス（ＭＢＭＳ）ゲートウェイ１２４、ブロードキャストマルチキャストサービスセンター（ＢＭ−ＳＣ）１２６、およびパケットデータネットワーク（ＰＤＮ）ゲートウェイ１１８を含むことができる。ＭＭＥ １１２は、ＵＥ １０２とＥＰＣ １１０との間のシグナリングを処理する制御ノードである。一般に、ＭＭＥ １１２はベアラおよび接続管理を提供する。全てのユーザＩＰパケットは、自身がＰＤＮゲートウェイ１１８に接続されたサービングゲートウェイ１１６を通って転送される。ＰＤＮゲートウェイ１１８は、ＵＥ ＩＰアドレス割当てだけでなく、その他の機能も提供する。ＰＤＮゲートウェイ１１８およびＢＭ−ＳＣ１２６は、ＩＰサービス１２２に接続される。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含むことができる。ＢＭ−ＳＣ１２６は、ＭＢＭＳユーザサービスプロビジョニングおよび配信のための機能を提供することができる。ＢＭ−ＳＣ１２６は、コンテンツプロバイダＭＢＭＳ送信のためのエントリポイントとしてサービスし（serve）、ＰＬＭＮ内のＭＢＭＳベアラサービスを認可および開始するために使用されることができ、およびＭＢＭＳ送信をスケジューリングおよび配信するために使用されることができる。ＭＢＭＳゲートウェイ１２４は、特定のサービスをブロードキャストするマルチキャストブロードキャスト単一周波数ネットワーク（ＭＢＳＦＮ）エリアに属するｅＮＢｓ（たとえば、１０６、１０８）にＭＢＭＳトラフィックを分配するために使用され得、セッション管理（開始／停止）およびｅＭＢＭＳに関連する課金情報（charging information）を収集することを担当する(responsible for)ことができる。
【００１５】
[0024]ここに記載されるシステムおよび方法は図１の発展型パケットシステム１００においてインプリメントされることができる。例えば、装置は第１の外部タイミングソースタイミング信号が利用可能なとき第１の外部タイミングソースに基づいたタイミング信号を用いてＵＥ１０２を同期することができる。例示タイミング信号は、これに限定されないが、グローバルポジショニングシステム（ＧＰＳ）、グローバルナビゲーションサテライトシステム（ＧＬＯＮＡＳＳ）、ガリレオ、ベイドウ(BeiDou)、または他の衛星ベースナビゲーションシステムのようなグローバルナビゲーションサテライトシステム（ＧＮＳＳ）からの信号を含む。タイミング信号はまたは図１のｅノードＢ１０６のような地上波ソースから送信されることができる。ｅノードＢ１０６からのタイミング信号は局部的に生成されることができまたは他のタイミングソースから受信されることができる。たとえば、ｅノードＢ１０６はＧＮＳＳまたは他の信号からタイミング信号を発生することができる。さらに、装置は第１のＵＥが外部タイミングソースタイミング信号を用いて同期されることを示す同期信号を送信する。
【００１６】
[0025]他の例示装置、たとえばＵＥ１０２は同期信号の優先度を示す同期情報を含む１つまたは複数の同期信号を受信する。さらに、装置は同期信号の優先度を示す情報に基づいて１つまたは複数の同期信号のいずれに同期するかを決定する。装置はまた１つまたは複数の同期信号の１つに同期する。
【００１７】
[0026]図２は、ＬＴＥネットワークアーキテクチャにおけるアクセスネットワーク２００の一例を図示する図である。この例において、アクセスネットワーク２００は、多数のセルラ領域（セル）２０２に分割されている。１つまたは複数の低電力クラスｅＮＢｓ２０８は、セル２０２の１つまたは複数と重複するセルラ領域２１０を有することができる。低電力クラスｅＮＢ２０８は、フェムトセル（たとえば、ホームｅＮＢ（ＨｅＮＢ））、ピコセル、マイクロセル、または遠隔無線ヘッド（ＲＲＨ）であり得る。マクロｅＮＢｓ２０４は、各々がそれぞれのセル２０２に割り当てられ、セル２０２内のすべてのＵＥ２０６に対してＥＰＣ１１０へのアクセスポイントを提供するように構成される。アクセスネットワーク２００のこの例には集中コントローラが存在しないが、代替の構成では、集中コントローラが使用されることができる。ｅＮＢｓ２０４は、無線ベアラ制御、アドミッション制御、モビリティ制御、スケジューリング、セキュリティ、およびサービングゲートウェイ１１６への接続性を含むすべての無線関連機能を担当する。ｅＮＢは、１つまたは複数（one or multiple）（たとえば、３つ）のセル（また、セクタとも呼ばれる）をサポートすることができる。「セル」という用語は、特定のカバレッジエリアをサービスするｅＮＢサブシステムおよび／またはｅＮＢの最小のカバレッジエリアを指すことができる。さらに、「ｅＮＢ」、「基地局」、および「セル」という用語は、本明細書では交換可能に使用され得る。
【００１８】
[0027]アクセスネットワーク２００によって用いられる変調および多元接続スキームは、展開されている特定の電気通信規格に依存して異なることができる。ＬＴＥの応用例では、周波数分割デュプレックス（ＦＤＤ）および時分割デュプレックス（ＴＤＤ）の両方をサポートするために、ＯＦＤＭがＤＬに使用され、ＳＣ−ＦＤＭＡがＵＬに使用される。以下の詳細な説明から当業者が容易に理解するように、本明細書に提示されるさまざまな概念は、ＬＴＥの応用例によく適している。しかしながら、これらの概念は、その他の変調および多元接続技術を用いたその他の電気通信規格にまで容易に拡張されることができる。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張されることができる。ＥＶ−ＤＯおよびＵＭＢは、ＣＤＭＡ２０００ファミリー規格の一部として、３世代パートナーシッププロジェクト２（３ＧＰＰ２）によって公表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ(登録商標)）、およびＴＤ−ＳＣＤＭＡのようなＣＤＭＡの他の様々な変形例を用いるユニバーサル地上波無線アクセス（ＵＴＲＡ）、ＴＤＭＡを用いる移動体通信のための全世界システム（ＧＳＭ（登録商標））、ＯＦＤＭＡを用いる、発展型ＵＴＲＡ（Ｅ−ＵＴＲＡ）、ＩＥＥＥ ８０２．１１（Ｗｉ−Ｆｉ）、ＩＥＥＥ ８０２．１６（ＷｉＭＡＸ）、ＩＥＥＥ ８０２．２０、およびフラッシュＯＦＤＭに拡張されることもできる。ＵＴＲＡ、Ｅ−ＵＴＲＡ、ＵＭＴＳ、ＬＴＥ、およびＧＳＭは、３ＧＰＰの組織からの文書において説明されている。ＣＤＭＡ２０００およびＵＭＢは、３ＧＰＰ２の組織からの文書において説明されている。用いられる実際のワイヤレス通信規格および多元接続技術は、システムに課された特定の用途および全体的な設計の制約に依存するだろう。
【００１９】
[0028]ｅＮＢｓ ２０４は、ＭＩＭＯ技術をサポートする複数のアンテナを有することができる。ＭＩＭＯ技術の使用は、ｅＮＢｓ２０４が、空間多重、ビームフォーミング、および送信ダイバーシティをサポートするために空間領域を利用することを可能にする。空間多重化は、同じ周波数上で同時に異なるデータストリームを送信するために使用されることができる。これらデータストリームは、データレートを増加させるために単一のＵＥ２０６に、または、全システム容量を増加させるために複数のＵＥ２０６に、送信されることができる。これは各データストリームを空間的にプリコーディングし（すなわち、振幅および位相のスケーリングを適用し）、その後、DL上の複数の送信アンテナを通じて各空間的にプリコーディングされたストリームを送信することによって達成される。空間的にプリコーディングされたデータストリームは、異なる空間シグネチャでＵＥ２０６（複数を含む）に到達し、それは、ＵＥ２０６（複数を含む）の各々が、そのＵＥ２０６に宛てられた１つまたは複数のデータストリームをリカバーすることを可能にする。UL上では、各ＵＥ２０６は、空間的にプリコードされたデータストリームを送信し、それは、ｅＮＢ２０４が、各空間的にプリコードされたデータストリームのソースを識別可能にする。
【００２０】
［0029］空間多重は一般的に、チャネル状況が良好な場合に使用される。チャネル状況がさほど良好でない場合には、１つまたは複数の方向に送信エネルギーを集中するためにビームフォーミングが使用されることができる。これは、複数のアンテナを介した送信のためにデータを空間的にプリコードすることによって、達成されることができる。セルの端において良好なカバレッジを達成するために、単一ストリームのビームフォーミング伝送が送信ダイバーシチと組み合わせて使用されることができる。
【００２１】
［0030]以下の詳細な説明では、アクセスネットワークのさまざまな態様が、DLにおいてＯＦＤＭをサポートするＭＩＭＯシステムを参照して説明される。ＯＦＤＭは、ＯＦＤＭシンボル内の多数のサブキャリアにわたってデータを変調する拡散スペクトル技法である。サブキャリアは、正確な周波数で間隔が空けられている。この間隔は、受信機がこれらのサブキャリアからデータをリカバーすることを可能にする「直交性」を提供する。時間領域では、ＯＦＤＭシンボル間干渉に対処するために、各ＯＦＤＭシンボルにガードインターバル（例えば、サイクリックプリフィクス）が追加されることができる。ULは、高いピーク対平均電力比（ＰＡＰＲ：peak-to-average power ratio）を補償するために、ＤＦＴ拡散ＯＦＤＭ信号の形態でＳＣ−ＦＤＭＡを使用することができる。
【００２２】
[0031]ここに記載されるシステムおよび方法は図２に示されるＬＴＥネットワークアーキテクチャにおけるアクセスネットワーク２００にインプリメントされることができる。たとえば、ｅＮＢｓ２０４の装置は第１の外部タイミングソースタイミング信号が利用可能なとき第１の外部タイミングソースに基づいたタイミング信号を用いてＵＥ２０６を同期させることができる。さらに、装置は第１のＵＥが外部タイミングソースタイミング信号を用いて同期されることを示す同期信号を送信する。
【００２３】
[0032]他の例示装置、たとえば、ＵＥ２０６は同期信号の優先度を示す同期情報を含む１つまたは複数の同期信号を受信する。さらに、装置は同期信号の優先度を示す情報に基づいて１つまたは複数の同期信号のいずれに同期するかを決定する。装置はまた１つまたは複数の同期信号に同期する。
【００２４】
[0033]図３は、ＬＴＥにおけるDLフレーム構造の一例を図示する図３００である。フレーム（１０ｍｓ）は、１０個の等しい大きさのサブフレームに分割されることができる。各サブフレームは、２つの連続するタイムスロットを含むことができる。２個のタイムスロットを表すためにリソースグリッドが使用されることができ、各タイムスロットは、リソースブロックを含む。リソースグリッドは、複数のリソースエレメントに分割される。ＬＴＥにおいて、通常のサイクリックプリフィックスに関して、リソースブロックは、周波数ドメイン中に１２個の連続したサブキャリアを、時間ドメイン中に７つの連続したＯＦＤＭシンボルを含み、合計で８４個のリソース要素となる。拡張されたサイクリックプリフィックスに関して、リソースブロックは、周波数ドメイン中に１２個の連続したサブキャリアを、時間ドメイン中に６つの連続したＯＦＤＭシンボルを含み、合計で７２個のリソース要素となる。Ｒ３０２、３０４として示される、リソース要素のうちのいくつかは、ＤＬ基準信号（ＤＬ−ＲＳ）を含む。ＤＬ−ＲＳは、セル固有のＲＳ（ＣＲＳ：Cell-specific RS）（共通ＲＳと呼ばれることもある）３０２と、ＵＥ固有のＲＳ（ＵＥ−ＲＳ：UE-specific RS）３０４とを含む。ＵＥ−ＲＳ ３０４は、対応する物理DL共有チャネル（ＰＤＳＣＨ：physical downlink shared channel）がマッピングされたリソースブロック上で送信される。各リソースエレメントによって搬送されるビット数は、変調スキームに依存する。したがって、ＵＥが受信するリソースブロックが多いほど、また、変調スキームが高度であるほど、そのＵＥのためのデータレートは高くなる。
【００２５】
[0034]図4は、ＬＴＥにおけるＵLフレーム構造の一例を示すブロック図400である。ＵＬのために利用可能なリソースブロックは、データセクションと制御セクションとに分割されることができる。制御セクションは、システム帯域幅の両端に形成されることができ、構成可能なサイズを有することができる。制御セクションにおけるリソースブロックは、制御情報の送信のためにＵＥに割り当てられることができる。データセクションは、制御セクションに含まれないすべてのリソースブロックを含むことができる。ＵＬフレーム構造は、連続する（contiguous）サブキャリアを含むデータセクションを生じ、これは、データセクション内の連続サブキャリアのすべてに単一ＵＥが割り当てられることを可能にする。
【００２６】
[0035]１つのＵＥは、ｅＮＢに制御情報を送信するために、制御セクション内のリソースブロック４１０ａ、４１０ｂに割り当てられることができる。このＵＥはまた、ｅＮＢにデータを送信するために、データセクション内のリソースブロック４２０ａ、４２０ｂに割り当てられることができる。このＵＥは、制御セクションにおける割り当てられたリソースブロック上の物理UL制御チャネル（ＰＵＣＣＨ：physical uplink control channel）で制御情報を送信することができる。ＵＥは、データセクション内の割り当てられたリソースブロック上の物理ＵＬ共有チャネル（ＰＵＳＣＨ）でデータ、またはデータと制御情報との両方を送信することができる。ＵＬ送信は、１サブフレームの両スロットにわたることができ、周波数にわたってホッピング（hopping）することができる。
【００２７】
[0036]リソースブロックのセットは、イニシャルシステムアクセスを実行し、物理ランダムアクセスチャネル（ＰＲＡＣＨ：physical random access channel）４３０におけるＵＬ同期を達成するために使用されることができる。ＰＲＡＣＨ４３０は、ランダムシーケンスを搬送するが、任意のＵＬデータ／シグナリングを搬送することはできない。各ランダムアクセスプリアンブルは、６個の連続リソースブロックに対応する帯域幅を占有する。開始周波数は、ネットワークによって特定される。すなわち、ランダムアクセスプリアンブルの送信は、ある特定の時間および周波数リソースに制限される。ＰＲＡＣＨの場合周波数ホッピングはない。ＰＲＡＣＨの試みは、単一のサブフレーム（１ｍｓ）において、または少数の連続サブフレームのシーケンスにおいて搬送され、ＵＥは、フレーム（１０ｍｓ）毎に単一のＰＲＡＣＨの試みを行うことができる。
【００２８】
[0037]図５は、ＬＴＥにおけるユーザおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つの層で示される。レイヤ１（L１レイヤ）は、最下位のレイヤであり、様々な物理レイヤ信号処理機能をインプリメントする。L１レイヤは、本明細書において物理レイヤ５０６と呼ばれる。レイヤ２（Ｌ２レイヤ）５０８は、物理レイヤ５０６よりも上位であり、物理レイヤ５０６を介したＵＥとｅＮＢとの間のリンクを担当する。
【００２９】
[0038]ユーザプレーンでは、Ｌ２レイヤ５０８は、媒体アクセス制御（ＭＡＣ：media access control）サブレイヤ５１０、無線リンク制御（ＲＬＣ：radio link control）サブレイヤ５１２、パケットデータコンバージェンスプロトコル（ＰＤＣＰ：packet data convergence protocol）５１４サブレイヤを含み、それらは、ネットワーク側のｅＮＢで終端される。示されていないが、ＵＥは、ネットワーク側のＰＤＮゲートウェイ１１８で終端されるネットワークレイヤ（例えば、ＩＰレイヤ）、および接続の他端（例えば、遠端のＵＥ、サーバ、等）で終端されるアプリケーションレイヤを含む、Ｌ２レイヤ５０８よりも上の、いくつかの上位レイヤを有することができる。
【００３０】
[0039]ＰＤＣＰサブレイヤ５１４は、異なる無線ベアラと論理チャネルとの間の多重化を提供する。ＰＤＣＰサブレイヤ５１４はまた、無線送信のオーバーヘッドを低減するために上位レイヤのデータパケットのヘッダの圧縮を提供し、それらのデータパケットを暗号化することによってセキュリティを提供し、ｅＮＢｓ間でのＵＥのハンドオーバーサポートを提供する。ＲＬＣサブレイヤ５１２は、上位レイヤのデータパケットのセグメンテーションおよびリアセンブリと、損失データパケットの再送と、ハイブリッド自動再送要求（ＨＡＲＱ）による順序がずれた受信を補償するためのデータパケットの並び替えと、を提供する。ＭＡＣサブレイヤ５１０は、論理チャネルとトランスポートチャネルとの間の多重化を提供する。ＭＡＣサブレイヤ５１０はまた、ＵＥｓ間で１つのセルにおけるさまざまな無線リソース（例えば、リソースブロック）の割り当てを担当する。ＭＡＣサブレイヤ５１０はまた、ＨＡＲＱ演算を担当する。
[0040]制御プレーンにおいて、ＵＥおよびｅＮＢのための無線プロトコルアーキテクチャは、制御プレーンのためのヘッダ圧縮機能がないという点を除き、物理レイヤ５０６およびＬ２レイヤ５０８の場合と実質的に同じである。制御プレーンはまた、レイヤ３（L３レイヤ）における無線リソース制御（ＲＲＣ：radio resource control）サブレイヤ５１６を含む。ＲＲＣサブレイヤ５１６は、無線リソース（すなわち、無線ベアラ）を取得すること、およびｅＮＢおよびＵＥ間でＲＲＣシグナリングを使用してより下位のレイヤを構成することを担当する。
【００３１】
[0041]図６は、アクセスネットワークにおいてＵＥ６５０と通信しているｅＮＢ ６１０のブロック図である。ＤＬにおいて、コアネットワークからの上位レイヤのパケットはコントローラ／プロセッサ６７５に提供される。コントローラ／プロセッサ６７５は、Ｌ２レイヤの機能性をインプリメントする。ＤＬにおいて、コントローラ／プロセッサ６７５は、ヘッダの圧縮、暗号化、パケットのセグメンテーションおよび並び替え、論理チャネルとトランスポートチャネルとの間での多重化、およびさまざまな優先順位メトリックに基づいたＵＥ ６５０に対する無線リソースの割り当てを提供する。コントローラ／プロセッサ６７５はまた、ＨＡＲＱ演算、損失パケットの再送、ＵＥ ６５０へのシグナリングを担当する。
【００３２】
[0042]送信（ＴＸ）プロセッサ６１６は、Ｌ１レイヤ（すなわち、物理レイヤ）のためのさまざまな信号処理機能をインプリメントする。これらの信号処理機能は、ＵＥ ６５０における前方誤り訂正（ＦＥＣ：forward error correction）を容易にするように符号化およびインターリーブすることと、さまざまな変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて、信号コンステレーションにマッピングすることとを含む。コード化されたおよび変調されたシンボルは、つぎに並行なストリームに分割される。各ストリームは、その後ＯＦＤＭサブキャリアにマッピングされ、時間領域および／または周波数領域において基準信号（例えば、パイロット）とともに多重化され、そして、逆高速フーリエ変換（ＩＦＦＴ）を使用して一緒に結合され、時間領域のＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、符号化および変調スキームの決定だけでなく、空間処理のために使用されることができる。チャネル推定値は、ＵＥ ６５０によって送信された基準信号および／またはチャネル状態のフィードバックから導出され得る。各空間ストリームは、その後、別個の送信機６１８ＴＸを介して異なるアンテナ６２０に提供されることができる。各送信機６１８ＴＸは、送信のためのそれぞれの空間ストリームを用いてＲＦキャリアを変調することができる。
【００３３】
[0043]ＵＥ ６５０において、各受信機６５４ＲＸは、そのそれぞれのアンテナ６５２を介して信号を受信する。各受信機６５４ＲＸは、ＲＦキャリア上で変調された情報をリカバし、受信機（ＲＸ）プロセッサ６５６にその情報を提供する。ＲＸプロセッサ656はＬ１レイヤのさまざまな信号処理機能をインプリメントする。ＲＸプロセッサ６５６は、ＵＥ６５０を宛先とする任意の空間ストリームをリカバするために、情報に対して空間処理を行うことができる。複数の空間ストリームがＵＥ ６５０に宛てられている場合、それらは、ＲＸプロセッサ６５６によって単一のＯＦＤＭシンボルストリームに結合されることができる。ＲＸプロセッサ６５６は、次に高速フーリエ変換（ＦＦＴ）を使用して、そのＯＦＤＭシンボルストリームを時間領域から周波数領域へと変換する。周波数領域の信号は、ＯＦＤＭ信号の各サブキャリアに対する別個のＯＦＤＭシンボルストリームを備える。各サブキャリア上のシンボル、および基準信号は、ｅＮＢ６１０によって送信された最も可能性の高い信号コンステレーションポイントを決定することによってリカバおよび復調される。これらの軟判定は、チャネル推定器６５８によって計算されたチャネル推定値に基づくことができる。これらの軟判定は、その後物理チャネルにおいてｅＮＢ ６１０により元々送信されたデータおよび制御信号をリカバするために、復号およびデインターリーブされる。データおよび制御信号は、次にコントローラ／プロセッサ６５９に提供される。
【００３４】
[0044]コントローラ／プロセッサ６５９は、Ｌ２レイヤをインプリメントする。コントローラ／プロセッサは、プログラムコードおよびデータを記憶するメモリ６６０と関連付けられることができる。メモリ６６０は、コンピュータ読取可能な媒体と呼ばれることができる。ＵＬにおいて、コントローラ／プロセッサ６５９は、コアネットワークからの上位レイヤパケットをリカバするために、制御信号処理、ヘッダの解凍、暗号解読、パケットのリアセンブリ、トランスポートチャネルと論理チャネルとの間での逆多重化を提供する。上位レイヤパケットは、次にデータシンク６６２に提供され、これは、Ｌ２レイヤより上位のすべてのプロトコルレイヤを表す。さまざまな制御信号もまた、Ｌ３処理のために、データシンク６６２に提供されることができる。コントローラ／プロセッサ６５９はまた、ＨＡＲＱ演算をサポートするために、肯定応答（ＡＣＫ）および／または否定応答（ＮＡＣＫ）プロトコルを使用した誤り検出を担当する。
【００３５】
[0045]ＵＬでは、コントローラ／プロセッサ659に上位レイヤパケットを提供するために、データソース667が使用される。データソース６６７は、Ｌ２レイヤより上位のすべてのプロトコルレイヤを表す。ｅＮＢ ６１０によるＤＬ送信に関連して説明された機能と同様に、コントローラ／プロセッサ６５９は、ヘッダの圧縮、暗号化、パケットのセグメンテーションと並び替え、およびｅＮＢ ６１０による無線リソースの割り当てに基づいた論理チャネルとトランスポートチャネルとの間での多重化を提供することによって、ユーザプレーンおよび制御プレーンのためのＬ２レイヤをインプリメントする。コントローラ／プロセッサ６５９はまた、ＨＡＲＱ演算、損失パケットの再送、ｅＮＢ ６１０へのシグナリングを担当する。
【００３６】
[0046]ｅＮＢ ６１０によって送信された基準信号またはフィードバックからチャネル推定器６５８によって導出されたチャネル推定値は、適切な符号化および変調スキームを選択し、空間処理を容易にするために、ＴＸプロセッサ６６８によって使用されることができる。ＴＸプロセッサ６６８によって生成された空間ストリームは、別個の送信機６５４ＴＸを介して異なるアンテナ６５２に提供されることができる。各送信機６５４ＴＸは、送信のためのそれぞれの空間ストリームを用いてＲＦキャリアを変調することができる。
【００３７】
[0047]ＵＬ送信は、ＵＥ ６５０における受信機機能に関連して説明された手法と同様の手法により、ｅＮＢ ６１０において処理される。各受信機６１８ＲＸは、そのそれぞれのアンテナ６２０を介して信号を受信する。各受信機６１８ＲＸは、ＲＦキャリア上に変調された情報をリカバし、ＲＸプロセッサ６７０にその情報を提供する。ＲＸプロセッサ６７０は、Ｌ１レイヤをインプリメントすることができる。
【００３８】
[0048]コントローラ／プロセッサ675は、Ｌ２レイヤをインプリメントする。コントローラ／プロセッサ６７５は、プログラムコードおよびデータを記憶するメモリ６７６に関係付けられることができる。メモリ676は、コンピュータ読取可能な媒体と呼ばれることができる。ＵＬにおいて、コントローラ／プロセッサ６７５は、ＵＥ６５０からの上位レイヤパケットをリカバするために、トランスポートチャネルと論理チャネルとの間の逆多重化、パケットの再組立て、暗号解読、ヘッダ解凍、制御信号処理を提供する。コントローラ／プロセッサ６７５からの上位レイヤパケットは、コアネットワークに提供されることができる。コントローラ／プロセッサ６７５はまた、ＨＡＲＱ演算をサポートするために、ＡＣＫおよび／またはＮＡＣＫプロトコルを使用する誤り検出を担当する。
【００３９】
[0049]ここに記載されたシステム及び方法は図６のシステムにおいてインプリメントされることができる。たとえば、装置、例えば、ｅＮＢｓ６１０は第１の外部タイミングソースタイミング信号が利用可能なとき第１の外部タイミングソースに基づいたタイミング信号を用いてＵＥ６５０を同期することができる。さらに、装置は第１のＵＥが外部タイミングソースタイミング信号を用いて同期されることを示す同期信号を送信する。
【００４０】
[0050]他の例示装置、たとえば、ＵＥ６５０は同期信号の優先度を示す同期情報を含む１つまたは複数の同期信号を受信する。さらに、装置は同期信号の優先度を示す情報に基づいて１つまたは複数の同期信号のいずれに同期するかを決定する。装置はまた１つまたは複数の同期信号の１つに同期する。
【００４１】
[0051]図７は、デバイス間通信システム７００の図である。デバイス間通信システム７００は、複数のワイヤレスデバイス７０４、７０６、７０８、７１０を含む。デバイス間通信システム７００は、例えば、ワイヤレス広域ネットワーク（ＷＷＡＮ）のようなセルラ通信システムと重複することができる。ワイヤレスデバイス７０４、７０６、７０８、７１０のいくつかは、ＤＬ／ＵＬ ＷＷＡＮスペクトルを使用してデバイス間通信でともに通信することができ、いくつかは、基地局７０２と通信することができ、およびいくつかは両方を行うことができる。例えば、図７に示されているように、ワイヤレスデバイス７０８、７１０がデバイス間通信中であり、ワイヤレスデバイス７０４、７０６がデバイス間通信中である。ワイヤレスデバイス７０４、７０６はまた、基地局７０２と通信している。
【００４２】
[0052]以下に論述される例証的な方法および装置は、例えば、ＦｌａｓｈＬｉｎＱ、ＷｉＭｅｄｉａ、Ｂｌｕｅｔｏｏｔｈ(登録商標)、ＺｉｇＢｅｅ、またはＩＥＥＥ８０２.１１規格に基づいたＷｉ−Ｆｉに基づいたワイヤレスデバイス間通信システムのような、多様なワイヤレスデバイス間通信システムのいずれにも適用可能である。説明を簡単にするために、例証的な方法および装置は、ＬＴＥとの関連で説明される。しかしながら、当業者は、例証的な方法および装置が、多様な他のワイヤレスデバイス間通信システムにより一般に適用可能であることを理解するであろう。
【００４３】
[0053]図８は本開示のいくつかの態様に従ってＵＥまたは他の電子デバイスを同期させるためのデバイス間通信システム８００の図である。いくつかの例はビークル間通信（Ｖ２Ｖ）に基づいたＬＴＥ−Ｄに関する同期のために使用されることができる。したがって、ビークル８０４、８０６、８０８、８１０を示すシンボルが使用される。各ビークル８０４、８０６、８０８、８１０は一般的にここに記載されたシステムおよび方法の１つまたは複数の態様をインプリメントするＵＥのような電子通信機器を含むことが理解されるであろう。
【００４４】
[0054]いくつかのビークル８０４、８０６、８０８、８１０および基地局８０２は直接通信する。たとえば、例示デバイス間通信システム８００はビークル８０４と通信している基地局８０２を含む。ビークル８０４はビークル８０６と通信している。ビークル８０６はビークル８０８と通信している。ビークル８０８はビークル８１０と通信している。
【００４５】
[0055]図示した例において、直接通信できない基地局８０２およびビークル８０４、８０６、８０８、８１０のいずれかはリレー信号により通信することができる。たとえば、基地局８０２は通信をビークル８０４に送信することによりビークル８１０に通信を送信することができる。ビークル８０４は次にリレーとして動作し通信をビークル８０６に送信することができる。同様に、ビークル８０６は次にリレーとして動作し通信をビークル８０８に送信することができる。ビークル８０８は次にリレーとして動作しビークル８１０に通信を送信することができる。同期情報は同じまたは類似の方法でビークル８０４、８０６、８０８、８１０の各々においてデバイス間、たとえば通信機器からリレーされることができる。デバイス間の各通信、たとえば、基地局８０２からビークル８０４、ビークル８０４からビークル８０６、ビークル８０６からビークル８０８、ビークル８０８からビークル８１０、ならびに任意の戻り通信、たとえば、ビークル８１０からビークル８０８、ビークルからビークル８０６、ビークルからビークル８４、およびビークル８０４から基地局８０２は「ホップ(hop)」と呼ばれることが出来る。
【００４６】
[0056]いくつかの例において、ここに記載されるシステムおよび方法はＧＮＳＳタイミング信号を利用することによりＬＴＥ−Ｄに基づいたＶ２Ｖ通信システムに関する同期のために使用されることができる。しかしながら、ここに記載されるように他のタイミング信号が使用されることができる。
【００４７】
[0057]ＬＴＥ−Ｄリリース１２は以下のヒエラルキーとの分散された同期を定義した：（１）ｅＮＢ、（２）カバレッジ内ＵＥ、（３）カバレッジ内ＵＥに同期されたカバレッジ外ＵＥ、（４）カバレッジ外ＵＥ。カバレッジ内ＵＥｓとカバレッジ外ＵＥｓを区別するために以下の技術が用いられることができる：（ａ）異なる同期シーケンスおよび（ｂ）１ビットＰＳＢＣＨチャネル。
【００４８】
[0058]ここに記載されるように、いくつかの例において、上記分散された同期ヒエラルキーはＧＮＳＳまたは他のタイミングに関連した信号およびタイミング関連信号のマルチホップ伝搬への同期のサポートを可能にするように拡張されることができる。いくつかの例は、ＧＮＳＳまたは他のタイミング関連信号およびタイミング関連信号のマルチホップ伝搬への同期のためのサポートを可能にするのに必要なシグナリングおよびプロトコル変更を提供することができる。
【００４９】
[0059]いくつかの例において、ＵＥに関する提案されたプロトコルは以下の同期優先度を有することができる：（１）ＧＮＳＳ、（２）ある最大数のホップまでＧＮＳＳに同期されたＵＥ、任意に、（３ａ）ｅＮＢ、（３ｂ）カバレッジ内ＵＥ、および／または（３ｃ）カバレッジ内ＵＥに同期されたカバレッジ外ＵＥ、および（４）カバレッジ外ＵＥ。
【００５０】
[0060]図８に示されるように、ＧＮＳＳはビークル８０４および／または基地局８０２における通信機器と同期を取るために使用されることができる。（例えば）ＵＥであり得るビークル８０４内の通信機器は、最大数のホップまでＧＮＳＳへ他のビークル８０６，８０８、８１０内の同期された通信機器に使用されることができるＵＥであり得る。たとえば、３つのホップが許可されたとき、ビークル８１０内の通信機器は図示された通信リンクを介して同期されることができる。たとえば、２つのホップのみが許可されたとき、ビークル８１０内の通信機器は図示された通信リンクを介して同期されることができない。特定の例示インプリメンテーションに応じて１つ、２つ、３つ、４つ、５つ、またはそれ以上のホップが使用されることができることが理解されるであろう。
【００５１】
[0061]ここに記載されるシステムと方法はＵＥがＧＮＳＳへ同期されたことを示すために以下のシグナリング変更の１つまたは複数を用いることができる：第１のオプションにおいて、固定再度リンク同期シーケンス（ＰＳＳＳ／ＳＳＳＳ）がＧＮＳＳによって伝搬されたタイミングに使用される。一例は、ＵＥがＧＮＳＳへ直接同期されたかどうか（または他の同期のタイプ）を示すためにＰＳＢＣＨないの「リザーブフィールド」に１ビットを使用することができる。
【００５２】
[0062]第２のオプションにおいて、リザーブフィールドの１ビットはＧＮＳＳが同期されたかどうか（または他のタイプの同期）を示すために使用され、別のビットがＧＮＳＳに直接同期されたか否か（または他のタイプの同期）を示すために用いられる。例示デバイスは、ＧＮＳＳ信号を用いて直接または別のデバイスによる受信され処理されたＧＮＳＳ信号に基づいて同期されることができる。たとえば、図８に例示されるように、ＧＮＳＳ信号は基地局８０２において受信されることができる。これらのＧＮＳＳ信号はビークル８０４、８０６、８０８、８１０内の通信機器に伝搬されることができるタイミング情報を基地局８０２に提供することができる。ビークル８０４はＧＮＳＳ信号を処理するための機器を含むことができる。したがって、ビークル８０４はまた他のビークル８０６、８０８、８１０内の通信機器にタイミング情報を伝搬することができる。
【００５３】
[0063]ここに記載されたシステムおよび方法はシステムフレーム番号（ＳＦＮ）送信を可能にするために以下のシグナリング変更の１つまたは複数を使用することができる。第１の例において、ＵＥｓは「syncOffsetIndicator1」のような変数により与えられるリソースを用いてＧＮＳＳに直接同期されることができる。ＵＥｓは「syncOffsetIndicator2」のような変数により与えられるリソースを用いてＧＮＳＳに間接的に同期することができる。固定ＣＲＣマスクはＶ２Ｖ送信を示すためにＰＳＢＣＨを用いて適用されることができる。一例において、ＰＳＢＣＨ内の別のリザーブビットはＶ２Ｖまたは将来リリースされる送信を示すために「１」にセットされることができる。
【００５４】
[0064]図９は本開示のいくつかの態様に従ってＵＥまたは他の電子デバイスを同期させる例示方法のフローチャートである。いくつかの例において、方法は、図１のＵＥ１０２、図２のＵＥ２０６、または図６のＵＥ６５０のようなＵＥにより実行されることができる。しかしながら、他の電子デバイスはまた、たとえば電子デバイスがタイミング信号を受信し同期信号を送信することができる場合この方法を実行することができる。
【００５５】
[0065] ブロック９０２において、第１のＵＥは第１の外部タイミングソースタイミング信号が第１のＵＥにおいて利用可能であると決定する。外部タイミング信号は、たとえば、これに限定されないが、グローバルポジショニングシステム（ＧＰＳ）信号、グローバルナビゲーションサテライトシステム（ＧＬＯＮＡＳＳ）信号、ガリレオ信号、ベイドウ(BeiDou)信号または他のサテライトナビゲーションシステム信号のようなグローバルナビゲーションサテライトシステム（ＧＮＳＳ）信号を含む信号であり得る。またタイミングシングル(singles)は地上波ベースのシステムから送信されることができる。いくつかの例において、タイミング信号は、図１のｅＮｏｄｅＢ１０６、図２のｅＮＯｄｅＢ２０４、または図６のｅＮｏｄｅＢ６１０からのような他のネットワークデバイスによって送信されることができる。ｅＮｏｄｅＢ１０６、２０４、または６１０からのタイミング信号は局所的に生成されるかまたは他のタイミングソースから受信されることができる。たとえば、ｅＮｏｄｅＢ１０６、２０４、または６１０はＧＮＳＳまたは他の信号に基づいてタイミング信号を生成することができる。他の例において、ＵＥ１０６、２０４または６１０外部のデバイスは第１の外部タイミングソースタイミング信号が第１のＵＥにおいて利用可能であると決定することができる。
【００５６】
[0066]いくつかの例において、１つまたは複数の受信機６５４ＲＸは第１のＵＥ、例えばＵＥ６５０において第１の外部タイミングソースタイミング信号が利用可能であるとＵＥ６５０が決定可能にする情報を受信する。この決定を行う処理はＲＸプロセッサ６５６または他の処理回路のような１つまたは複数のプロセッサにより実行されることができる。
【００５７】
[0067]ブロック９０４において第１のＵＥ１０６、２０４または６１０は第１の外部タイミングソースタイミング信号が利用可能であるとき第１の外部タイミングソースタイミング信号を用いて同期される。同期はＵＥ１０６、２０４、または６１０に対して内部的に実行されることができる。たとえば、ＵＥ１０６、２０４または６１０はタイミング回路を含むことができる。ＵＥ１０６、２０４または６１０内のタイミング回路のタイミングはタイミング信号、たとえば、ＧＮＳＳ信号と同期されることができる。他の例において、ＵＥ１０６、２０４、または６１０の外部デバイスはＵＥを同期させることができる。
【００５８】
[0068]いくつかの例において、１つまたは複数の受信機６５４ＲＸは、第１のＵＥ、たとえば、ＵＥ６５０において第１の外部タイミングソースタイミング信号が利用可能であるとき第１の外部タイミングソースタイミング信号を用いてＵＥ６５０を同期可能にする情報を受信する。同期を行う処理はＲＸプロセッサ６５６または他の処理回路のような１つまたは複数のプロセッサにより実行されることができる。いくつかの例において、１つまたは複数の受信機６１８ＲＸは第１のＵＥにおいて第１のＵＥにおいて第１の外部タイミングソースタイミング信号が利用可能であるとき第１の外部タイミングソースタイミング信号を用いてｅＮｏｄｅＢ６１０がＵＥ６５０と同期することを可能にする情報を受信する。決定を行う処理はＲＸプロセッサ６７０または他の処理回路のような、１つまたは複数のプロセッサにより実行されることができる。
【００５９】
[0069]ブロック９０６において第１のＵＥ、例えばＵＥ１０６、２０４、または６１０またはＵＥ１０６、２０４、または６１０の外部のデバイスのようなデバイスは外部タイミングソースタイミング信号を用いて第１のＵＥが同期されることを示す同期信号を送信することができる。いくつかの例において、同期信号は固定された同期シーケンスであり得る。さらに、同期信号はリザーブビットを含むことができる。リザーブビットは物理サイドリンクブロードキャストチャネル内に存在し得る。
【００６０】
[0070]さらに、いくつかの例において、リザーブビットは第１のＵＥが外部タイミングソースに直接に同期されることを示すことができる。たとえば、第１のＵＥはＧＮＳＳ信号に直接同期されることができる。リザーブビットは他のＵＥを介して外部タイミングソースと間接的に第１のＵＥが同期されることを示すために使用されることができる。たとえば、ＵＥはＧＮＳＳ信号を用いて同期される他のＵＥからのタイミング信号に同期されることができる。
【００６１】
[0071]いくつかの例において、１つまたは複数の送信機６５４ＴＸは第１のＵＥ、例えばＵＥ６５０が外部タイミングソースタイミング信号を用いて同期されることを示す情報を送信する。関連された処理はＴＸプロセッサ６６８または他の処理回路のような１つまたは複数のプロセッサにより実行されることができる。いくつかの例において、１つまたは複数の送信機６１８ＴＸは第１のＵＥ、たとえばＵＥ６５０が外部タイミングソースタイミング信号を用いて同期されることを示す情報を送信する。関連された処理はＴＸプロセッサ６１６または他の処理回路のような１つまたは複数のプロセッサにより実行されることができる。
【００６２】
[0072]第１のＵＥが外部タイミングソースに直接同期されるとき同期信号は第１の同期オフセットインジケータにより示されるリソース上で送信されることができる。いくつかの例において、第１のＵＥが他のＵＥを介して外部タイミングソースに間接的に同期されるとき第２の同期オフセットインジケータにより示されるリソース上に同期信号が送信される。いくつかの例において、同期信号は物理サイドリンクブロードキャストチャネルに固定された巡回冗長コード（ＣＲＣ）を適用することを含むことができる。
【００６３】
[0073]図１０は本開示のいくつかの態様に従って受信機においてＵＥまたは他の電子デバイスを同期する方法のフローチャート１０００である。いくつかの例において、方法は２〜３例を挙げると図１のＵＥ１０２、図２のＵＥ２０６または図６のＵＥ６５０のようなＵＥにより実行されることができる。しかしながら、例えば、電子デバイスがタイミング信号を受信し同期信号を送信可能である場合、他の電子デバイスもこの方法を実行することができることが理解されるであろう。
【００６４】
[0074]ブロック１００２において、第１のＵＥ１０２、２０６、６５０は同期信号の優先度を示す情報を含む１つまたは複数の同期信号を受信する。優先度情報は同期信号がＧＮＳＳ信号に基づくかまたは基づかないかに基づくことができる。同期信号がＧＮＳＳ信号に基づくか基づかないかについての情報は物理二次ブロードキャストチャネル（ＰＳＢＣＨ）のシーケンス内にまたは第１のリザーブフィールド内に存在することができる。
【００６５】
[0075]いくつかの例において、１つまたは複数の受信機６５４ＲＸは第１のＵＥ、例えばＵＥ６５０において同期信号の優先度を示す情報を含む１つまたは複数の同期信号を受信する。決定を行う処理はＲＸプロセッサまたは他の処理回路のような１つまたは複数のプロセッサにより実行されることができる。
【００６６】
[0076]いくつかの例において、優先度情報はさらに、同期信号が直接ＧＮＳＳに基づくかあるいは同期信号がＧＮＳＳに間接的に基づくかに基づく。同期信号がＧＮＳＳに直接基づくかあるいは同期信号がＧＮＳＳに間接的に基づくかについての優先度情報はＰＳＢＣＨの第２のリザーブフィールドに存在することができる。
【００６７】
[0077]一例において、ブロック１００２、同期信号の優先度を示す情報を含む１つまたは複数の同期信号を受信する第１のＵＥ１０２、２０６、６５０はさらに固定巡回冗長チェック（ＣＲＣ）マスクで、デコードされたＰＳＢＣＨをチェックすることを含むことができる。
【００６８】
[0078]いくつかの例において、１つまたは複数の受信機６５４ＲＸは第１のＵＥ、たとえばＵＥ６５０において同期信号の優先度を示す情報を含む１つまたは複数の同期信号を受信する。決定を行うための処理はＲＸプロセッサ６５６または処理回路のような１つまたは複数のプロセッサにより実行されることができる。
【００６９】
[0079]ブロック１００４において、第１のＵＥ１０２、２０６、６５０は同期信号の優先度を示す情報に基づいて１つまたは複数の同期信号のいずれの同期信号に同期するかを決定する。提案されたプロトコルの一例において、図１のＵＥ１０２、図２のＵＥ２０６または図６のＵＥ６５０のようなＵＥは以下の同期優先度を使用することができる：（１）ＧＮＳＳ、（２）離れた複数のＵＥ(UEs away)間（例えば、「ホップ」）のある最大数の送信まで他のＵＥのＧＮＳＳ同期に基づいてＵＥが同期される、（３）（３ａ）ｅＮＢ、（３ｂ）カバレッジ内ＵＥおよび／または（３ｃ）カバレッジ内ＵＥに同期されたカバレッジ外ＵＥの任意の１つまたは複数、および（４）カバレッジ外ＵＥ。例示提案プロトコルは一例として意図されたものに過ぎない。他の例示プロトコルは信号の優先度の順番を再配列することができ、他の同期信号、たとえば、ＧＮＳＳ信号、ＧＬＯＮＡＳＳ信号、ガリレオ信号、ベイドウ(BeiDou)信号、または他のサテライトベースナビゲーションシステム信号、または地上波信号は上の挙げた信号のいくつかまたはすべてを含まなくてもよく、同期するために完全に異なる同期信号を用いることができる。しかしながら、ここに記載された概念は依然としてそのような同期信号に適用されることができることが理解されるであろう。
【００７０】
[0080]いくつかの例において、ＲＸプロセッサ６５６または他の処理回路のような１つまたは複数のプロセッサは同期信号の優先度を示す情報に基づいて１つまたは複数の同期信号のいずれの同期信号に同期するかを決定することができる。
【００７１】
[0081]ブロック１００６において、ＵＥ１０２、２０６、６５０は優先順位に基づいて１つまたは複数の同期信号の第１の同期信号に同期する。たとえば、ＵＥ１０２、２０６、６５０はＧＮＳＳ、ＧＮＳＳ、ＧＬＯＮＡＳＳ、ガリレオ、ベイドウ(BeiDou)、他のサテライトベースナビゲーションシステム信号または地上波信号の１つまたは複数に基づいて同期することができる。同期は直接または間接に受信された信号に基づくことができる。いくつかの例において、ＵＥ１０２、２０６、６５０は離れた複数のＵＥｓ（例えば、「ホップ」）間のある最大数の送信まで別のＵＥ１０２、２０６、６５０のＧＮＳＳ同期に基づいて同期されることができる。同期は、カバレッジ内ＵＥおよび／またはカバレッジ内ＵＥに同期されたカバレッジ外ＵＥ、またはカバレッジ外ＵＥを含む１つまたは複数のｅＮＢｓに基づくことができる。いくつかの例において、ＲＸプロセッサ６５６または他の処理回路のような１つまたは複数のプロセッサはＵＥ６５０を１つまたは複数の同期信号の１つに同期することができる。
【００７２】
[0082]ブロック１００８において、ＵＥ１０２、２０６、６５０は第１のＵＥが第１の同期信号に同期されることを示す同期信号を送信する。いくつかの例において、同期信号は固定同期シーケンスを含む。いくつかの例において、同期信号はリザーブビットを備える。いくつかの例において、リザーブビットは物理サイドリンクブロードキャストチャネルであり得る。リザーブビットは第１のＵＥがＧＮＳＳベースタイミング信号に直接同期されることを示すことができ、および／またはリザーブビットは第１のＵＥが別のＵＥを介してＧＮＳＳに基づくタイミング信号に間接的に同期されることを示すことができる。
【００７３】
[0083]いくつかの例において、同期信号は第１のＵＥがＧＮＳＳに基づくタイミング信号に直接同期されるとき第１の同期オフセットインジケータにより示されるリソース上に送信される。いくつかの例において、第１のＵＥが別のＵＥを介してＧＮＳＳに基づくタイミング信号に間接的に同期されるとき第２の同期オフセットインジケータにより示されるリソース上に送信される。いくつかの例は固定ＣＲＣマスクを物理サイドリンクブロードキャストチャネルに適用することができる。同期信号を用いることは固定ＣＲＣマスクを物理サイドリンクブロードキャストチャネルに適用することを含むことができる。
【００７４】
[0084]第１の外部タイミングソースタイミング信号が第１のＵＥにおいて利用可能であると決定する手段は、第１のＵＥにおいて第１の外部タイミングソースタイミング信号が利用可能であるとｅＮｏｄｅＢ６１０が決定可能にする情報を１つまたは複数の受信機６１８ＲＸが受信することを含むことができる。決定を行う処理はＲＸプロセッサ６７０または他の処理回路のような１つまたは複数のプロセッサにより実行されることができる。いくつかの例において、１つまたは複数の受信機６５４ＲＸは第１の外部タイミングソースタイミング信号が第１のＵＥ、たとえばＵＥ６５０において利用可能であることをＵＥ６５０が決定可能にする情報を受信する。決定を行う処理はＲＸプロセッサ６５６または他の処理回路のような１つまたは複数のプロセッサにより実行されることができる。
【００７５】
[0085]第１の外部タイミングソースタイミング信号が利用可能であるとき第１の外部タイミングソースタイミング信号を用いて同期する手段はタイミング信号、たとえば、ＧＮＳＳ信号とマッチするように、例えば同期されるように変更することができるタイミング回路をＵＥ１０６、２０４、または６１０内に含めることができる。いくつかの例において、第１の外部タイミングソースタイミング信号が利用可能であるとき、第１の外部タイミングソースタイミング信号を用いて同期する手段は、第１の外部タイミングソースタイミング信号が第１のＵＥ、例えばＵＥ６５０において利用可能であるとき第１の外部タイミングソースタイミング信号を用いてＵＥ６５０が同期可能にする情報を１つまたは複数の受信機６５４ＲＸが受信することを含むことができる。同期を行うための処理はＲＸプロセッサ６５６または他の処理回路のような１つまたは複数のプロセサにより実行されることができる。いくつかの例において、第１の外部タイミングソースタイミング信号が第１のＵＥにおいて第１のＵＥにおいて利用可能であるとき第１の外部タイミングソースタイミング信号を用いてＵＥ６５０をｅＮｏｄｅＢ６１０が同期可能にする情報を１つまたは複数の受信機６１８ＲＸが受信する。決定を行う処理はＲＸプロセッサ６７０または他の処理回路のような１つまたは複数のプロセッサにより実行されることができる。
【００７６】
[0086]外部タイミングソースタイミング信号を用いて第１のＵＥが同期されることを示す同期信号を送信する手段は、第１のＵＥ、たとえば、ＵＥ６５０が外部タイミングソースタイミングシングを用いて同期されることを示す情報を１つまたは複数の送信機６５４ＴＸが送信することを含むことができる。ＴＸプロセッサ６６８または他の処理回路のような１つまたは複数のプロセッサにより関連される処理が実行されることができる。
【００７７】
[0087]いくつかの例において、外部タイミングソースタイミング信号を用いて第１のＵＥが同期されることを示す同期信号を送信する手段は第１のＵＥ、例えば、ＵＥ６５０が外部タイミングソース信号を用いて同期されることを示す情報を１つまたは複数の送信機６１８ＴＸが送信することを含むことができる。関連された処理はＴＸプロセッサ６１６または他の処理回路のような１つまたは複数のプロセッサにより実行されることができる。
【００７８】
[0088]同期信号の優先度を示す情報を含む１つまたは複数の同期信号を受信する手段は、第１のＵＥ、例えばＵＥ６５０において、同期信号の優先度を示す情報を含む１つまたは複数の受信機６５４ＲＸが受信することを含むことができる。決定を行う処理はＲＸプロセッサ６５６または他の処理回路のような１つまたは複数のプロセッサにより実行されることができる。
【００７９】
[0089]同期信号の優先度を示す情報に基づいて１つまたは複数の同期信号のどの同期信号に同期するかを決定する手段は、同期信号の優先度を示す情報に基づいて１つまたは複数の同期信号のどの同期信号に同期するかを決定することができるＲＸプロセッサ６５６または他の処理回路のような１つまたは複数のプロセッサを含むことができる。ＲＸプロセッサ６５６または他の処理回路のような１つまたは複数のプロセッサを１つまたは複数の同期信号の１つに同期させる手段は、ＵＥ６５０を１つまたは複数の同期信号の１つに同期させることができる。ここに記載されるシステムおよび方法をインプリメントする例示手段は、ここに記載されたシステムおよび方法をインプリメントすることができる回路の例であることを意図するにすぎないことが理解されるであろう。
【００８０】
[0090]いくつかの例において、第１のＵＥにおいて同期信号の優先度を示す同期情報を含む１つまたは複数の同期信号を受信する手段は第１のＵＥ、たとえばＵＥ６５０において同期信号の優先度を示す情報を含む１つまたは複数の同期信号を受信する１つまたは複数の受信機６５４ＲＸを含むことができる。決定を行う処理はＲＸプロセッサ６５６または他の処理回路のような１つまたは複数のプロセッサにより実行されることができる。
【００８１】
[0091]いくつかの例において、同期信号の優先度を示す情報に基づいて１つまたは複数の同期信号のいずれに同期するかを決定する手段は、同期信号の優先度を示す情報に基づいて１つまたは複数の同期信号のいずれに同期するかを決定することができるＲＸプロセッサ６５６または他の処理回路のような１つまたは複数のプロセッサを含むことができる。
【００８２】
[0092]いくつかの例において、決定された優先度に基づいて１つまたは複数の同期信号の第１の同期信号に同期させる手段は、第１のＵＥ、例えば、ＵＥ６５０において第１の外部タイミングソースタイミング信号が利用可能であるとき、ＵＥ６５０が第１の外部タイミングソースタイミング信号を用いて同期可能にする情報を１つまたは複数の受信機６５４ＲＸが受信することを含むことができる。同期を実行する処理はＲＸプロセッサ６５６または他の処理回路のような１つまたは複数のプロセッサにより実行されることができる。
【００８３】
[0093]いくつかの例において、第１のＵＥが第１の同期信号に同期されることを示す同期信号を送信する手段は、第１のＵＥ、例えば、ＵＥ６５０が外部タイミングソースタイミング信号を用いて同期されることを示す情報を１つまたは複数の送信機６１８ＴＸが送信することを含むことができる。関連される処理はＴＸプロセッサ６１６または他の処理回路のような１つまたは複数のプロセッサにより実行されることができる。
【００８４】
[0094]開示されたプロセス／フローチャートにおけるブロックの特定の順序または階層は、例となるアプローチの例示であることが理解される。設計の優先性に基づいて、これらの処理におけるステップの特定の順序または階層は並べ替えられうるということが理解される。さらに、いくつかのブロックは、組み合わされるか、または省略され得る。添付の方法の請求項は、サンプルの順序で様々なブロックの要素を提示しているが、提示された特定の順序または階層に限定されるようには意図されない。
【００８５】
［0095］先の説明は、当業者に、本明細書に説明されたさまざまな態様の実現を可能にさせるために提供されている。これらの態様へのさまざまな変更は、当業者には容易に明らかになり、本明細書で定義される包括的な本質は他の態様に適用され得る。従って、請求項は本明細書で表示される態様に限定されることは意図されておらず、しかし請求項の用語と一貫する全ての範囲が与えられるべきであり、ここにおいて単数形の要素への参照は特別にそのように述べられない限り「１つおよびただ１つ」を意味するように意図されず、むしろ「１つまたは複数の」を意味するように意図される。「典型的（exemplary）」という用語は、ここでは、「例、事例、または実例としての役割を果たす」という意味で用いられる。「典型的」なものとしてここに説明される任意の態様は、必ずしも、他の態様よりも好ましい、または利点を有するものと解釈されるべきではない。そうでないことが特に述べられていない限り、「いくつかの」という用語は、１つ以上のことを指している。「Ａ、Ｂ、またはＣのうちの少なくとも１つ」、「Ａ、Ｂ、およびＣのうちの少なくとも１つ」、および「Ａ、Ｂ、Ｃ、またはこれらの任意の組み合わせ」のような組み合わせは、Ａ、Ｂ、および／またはＣの任意の組み合わせを含み、複数のＡ、複数のＢ、または、複数のＣを含みうる。特に、「Ａ、Ｂ、またはＣのうちの少なくとも１つ」、「Ａ、Ｂ、およびＣのうちの少なくとも１つ」、および「Ａ、Ｂ、Ｃ、またはこれらの任意の組み合わせ」のような組み合わせは、Ａのみ、Ｂのみ、Ｃのみ、ＡとＢ、ＡとＣ、ＢとＣ、またはＡとＢとＣであることができ、ここで、このような任意の組み合わせが、Ａ、Ｂ、またはＣのメンバーあるいは１つまたは複数のメンバーを含みうる。当業者に既知である、あるいは後に知られることになる、本開示全体にわたって説明された様々な態様のエレメントに対する全ての構造的および機能的な均等物は、参照によって本明細書に明確に組み込まれ、特許請求の範囲によって包含されるよう意図されている。さらに、ここで開示したものが、特許請求の範囲中に明示的に列挙されているか否かにかかわらず、公共に捧げられることを意図していない。どの特許請求項の範囲の要素も、要素が明確に「のための手段」というフレーズを使用して記載されていない限り、手段および機
能として解釈されるべきではない。
【図１】
2020025313.tif 000003
【図２】
2020025313.tif 000004
【図３】
2020025313.tif 000005
【図４】
2020025313.tif 000006
【図５】
2020025313.tif 000007
【図６】
2020025313.tif 000008
【図７】
2020025313.tif 000009
【図８】
2020025313.tif 000010
【図９】
2020025313.tif 000011
【図１０】
2020025313.tif 000012
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
第１のＵＥ無線通信のための装置において、前記装置は、
前記第１のＵＥにおいて１つまたは複数の同期信号の優先度を示す同期情報を含む前記１つまたは複数の同期信号を受信する手段と、
前記１つまたは複数の同期信号の前記優先度を示す前記情報に基づいて前記１つまたは複数の同期信号のいずれに同期するかを決定する手段と、
前記決定された優先順位にもとづいて前記１つまたは複数の同期信号の第１の同期信号に同期する手段と、
前記第１のＵＥが前記第１の同期信号に同期されることを示す同期信号を送信する手段と、
を備える装置。
【請求項２】
前記同期信号は固定された同期シーケンスを備える、請求項１の装置。
【請求項３】
前記同期信号はリザーブビットを備える、請求項１の装置。
【請求項４】
前記リザーブビットは物理サイドリンクブロードキャストチャネル内にある、請求項３の装置。
【請求項５】
前記リザーブビットは前記第１のＵＥがＧＮＳＳに基づくタイミング信号に直接同期されることを示す、請求項３の装置。
【請求項６】
前記リザーブビットは前記第１のＵＥが他のＵＥを介してＧＮＳＳに基づくタイミング信号に間接的に同期されることを示す、請求項３の装置。
【請求項７】
前記同期信号は前記第１のＵＥがＧＮＳＳに基づくタイミング信号に直接同期されるとき第１の同期オフセットインジケータにより示されるリソース上で送信される、請求項１の装置。
【請求項８】
前記同期信号は、他のＵＥを介して前記第１のＵＥがＧＮＳＳに基づくタイミング信号に間接的に同期されるとき第２の同期オフセットインジケータにより示されるリソース上で送信される、請求項１の装置。
【請求項９】
前記同期信号を用いることは固定ＣＲＣマスクを物理サイドリンクブロードキャストチャネルに適用する手段を備える、請求項１の装置。
【請求項１０】
無線通信のためのコンピュータ実行可能なコードを記憶するコンピュータ可読媒体において、前記コンピュータ実行可能なコードは、
前記第１のＵＥにおいて１つまたは複数の同期信号の優先度を示す同期情報を含む前記１つまたは複数の同期信号を受信し、
前記同期信号の前記優先度を示す前記情報に基づいて前記１つまたは複数の同期信号のいずれに同期するかを決定し、
前記決定された優先順位に基づいて前記１つまたは複数の同期信号のうちの第１の同期信号に同期し、
前記第１のＵＥが前記第１の同期信号に同期されることを示す同期信号を送信する、
ためのコードを備える、コンピュータ可読媒体。
【請求項１１】
第１のＵＥにおける無線通信の方法において、
１つまたは複数の同期信号の優先度を示す同期情報を含む前記１つまたは複数の同期信号を受信することと、
前記同期信号の前記優先度を示す前記情報に基づいて前記１つまたは複数の同期信号のいずれに同期するかを決定することと、
前記優先順位に基づいて前記１つまたは複数の同期信号の前記同期信号の第１の同期信号に同期することと、
前記第１のＵＥが前記第１の同期信号に同期されることを示す同期信号を送信することと、
を備える、方法。
【請求項１２】
前記同期信号の前記優先度を示す前記情報は前記同期信号がＧＮＳＳ信号に基づくか否かについての情報である、請求項１１の方法。
【手続補正２】
【補正対象書類名】明細書
【補正対象項目名】００８５
【補正方法】変更
【補正の内容】
【００８５】
［0095］先の説明は、当業者に、本明細書に説明されたさまざまな態様の実現を可能にさせるために提供されている。これらの態様へのさまざまな変更は、当業者には容易に明らかになり、本明細書で定義される包括的な本質は他の態様に適用され得る。従って、請求項は本明細書で表示される態様に限定されることは意図されておらず、しかし請求項の用語と一貫する全ての範囲が与えられるべきであり、ここにおいて単数形の要素への参照は特別にそのように述べられない限り「１つおよびただ１つ」を意味するように意図されず、むしろ「１つまたは複数の」を意味するように意図される。「典型的（exemplary）」という用語は、ここでは、「例、事例、または実例としての役割を果たす」という意味で用いられる。「典型的」なものとしてここに説明される任意の態様は、必ずしも、他の態様よりも好ましい、または利点を有するものと解釈されるべきではない。そうでないことが特に述べられていない限り、「いくつかの」という用語は、１つ以上のことを指している。「Ａ、Ｂ、またはＣのうちの少なくとも１つ」、「Ａ、Ｂ、およびＣのうちの少なくとも１つ」、および「Ａ、Ｂ、Ｃ、またはこれらの任意の組み合わせ」のような組み合わせは、Ａ、Ｂ、および／またはＣの任意の組み合わせを含み、複数のＡ、複数のＢ、または、複数のＣを含みうる。特に、「Ａ、Ｂ、またはＣのうちの少なくとも１つ」、「Ａ、Ｂ、およびＣのうちの少なくとも１つ」、および「Ａ、Ｂ、Ｃ、またはこれらの任意の組み合わせ」のような組み合わせは、Ａのみ、Ｂのみ、Ｃのみ、ＡとＢ、ＡとＣ、ＢとＣ、またはＡとＢとＣであることができ、ここで、このような任意の組み合わせが、Ａ、Ｂ、またはＣのメンバーあるいは１つまたは複数のメンバーを含みうる。当業者に既知である、あるいは後に知られることになる、本開示全体にわたって説明された様々な態様のエレメントに対する全ての構造的および機能的な均等物は、参照によって本明細書に明確に組み込まれ、特許請求の範囲によって包含されるよう意図されている。さらに、ここで開示したものが、特許請求の範囲中に明示的に列挙されているか否かにかかわらず、公共に捧げられることを意図していない。どの特許請求項の範囲の要素も、要素が明確に「のための手段」というフレーズを使用して記載されていない限り、手段および機能として解釈されるべきではない。
以下に本願の出願当初の特許請求の範囲に記載された発明を付記する。
［Ｃ１］  第１のユーザ機器（ＵＥ）における無線通信の方法において、
第１のＵＥにおいて第１のＧＮＳＳに基づくタイミング信号が利用可能であると決定することと、
前記第１のＧＮＳＳに基づくタイミング信号が利用可能であるとき前記第１のＧＮＳＳに基づくタイミング信号を用いて前記第１のＵＥを同期することと、
前記第１のＧＮＳＳに基づくタイミング信号を用いて前記第１のＵＥが同期されることを示す同期信号を送信することと、
を備える方法。
［Ｃ２］  前記同期信号は固定された同期シーケンスを備える、Ｃ１の方法。
［Ｃ３］  前記同期信号はリザーブビットを備える、Ｃ１の方法。
［Ｃ４］  前記リザーブビットは物理サイドリンクブロードキャストチャネル内にある、Ｃ３の方法。
［Ｃ５］  前記リザーブビットは、前記第１のＵＥが前記第１のＧＮＳＳに基づくタイミング信号に直接同期されることを示す、Ｃ３の方法。
［Ｃ６］  前記リザーブビットは、他のＵＥを介して前記第１のＧＮＳＳに基づくタイミング信号に前記第１のＵＥが間接的に同期されることを示す、Ｃ３の方法。
［Ｃ７］  前記第１のＵＥが前記第１のＧＮＳＳに基づくタイミング信号に直接同期されるとき第１の同期オフセットインジケータにより示されるリソース上に前記同期信号が送信される、Ｃ１の方法。
［Ｃ８］  前記第１のＵＥが他のＵＥを介して前記第１のＧＮＳＳに基づくタイミング信号に間接的に同期されるとき第２の同期オフセットインジケータにより示されるリソース上に前記同期信号が送信される、Ｃ１の方法。
［Ｃ９］  前記同期信号を用いることは固定巡回冗長コード（ＣＲＣ）マスクを物理サイドリンクブロードキャストチャネルに適用することを備える、Ｃ１の方法。
［Ｃ１０］  無線通信に関する装置において、
メモリと、
前記メモリに結合され、
第１のＧＮＳＳに基づくタイミング信号が第１のＵＥにおいて利用可能であることを決定し、
前記第１のＧＮＳＳに基づくタイミング信号が利用可能であるとき、前記第１のＧＮＳＳに基づくタイミング信号を用いて前記第１のＵＥを同期し、
前記第１のＧＮＳＳに基づくタイミング信号を用いて前記第１のＵＥが同期されることを示す同期信号を送信する、
ように構成された少なくとも１つのプロセッサと、
を備えた装置。
［Ｃ１１］  前記同期信号は固定された同期シーケンスを備える、Ｃ１０の装置。
［Ｃ１２］前記同期信号はリザーブビットを備える、Ｃ１０の装置。
［Ｃ１３］  前記リザーブビットは物理サイドリンクブロードキャストチャネル内にある、Ｃ１２の装置。
［Ｃ１４］  前記リザーブビットは、前記第１のＵＥが前記第１のＧＮＳＳに基づくタイミング信号に直接同期されることを示す、Ｃ１２の装置。
［Ｃ１５］  前記リザーブビットは前記第１のＵＥが他のＵＥを介して前記第１のＧＮＳＳに基づくタイミングに間接的に同期される、Ｃ１２の装置。
［Ｃ１６］  前記少なくとも１つのプロセッサはさらに前記第１のＵＥが前記第１のＧＮＳＳに基づくタイミング信号に直接同期されるとき第１の同期オフセットインジケータにより示されるリソース上に前記同期信号を送信するように構成される、Ｃ１０の装置。
［Ｃ１７］  前記少なくとも１つのプロセッサはさらに、前記第１のＵＥが他のＵＥを介して前記第１のＧＮＳＳに基づくタイミング信号に間接的に同期されるとき第２の同期オフセットインジケータにより示されるリソース上に前記同期信号を送信するように構成される、Ｃ１０の装置。
［Ｃ１８］  前記同期信号を用いることは固定ＣＲＣマスクを物理サイドリンクブロードキャストチャネルに適用することを備える、Ｃ１０の装置。
［Ｃ１９］  第１のＵＥ無線通信のための装置において、前記装置は、
前記第１のＵＥにおいて前記１つまたは複数の同期信号の優先度を示す同期情報を含む１つまたは複数の同期信号を受信する手段と、
前記１つまたは複数の同期信号の優先度を示す前記情報に基づいて前記１つまたは複数の同期信号のいずれに同期するかを決定する手段と、
前記決定された優先順位にもとづいて前記１つまたは複数の同期信号の第１の同期信号に同期する手段と、
前記第１のＵＥが前記第１の同期信号に同期されることを示す同期信号を送信する手段と、
を備える装置。
［Ｃ２０］  前記同期信号は固定された同期シーケンスを備える、Ｃ１９の装置。
［Ｃ２１］  前記同期信号はリザーブビットを備える、Ｃ１９の装置。
［Ｃ２２］  前記リザーブビットは物理サイドリンクブロードキャストチャネル内にある、Ｃ２１の装置。
［Ｃ２３］  前記リザーブビットは前記第１のＵＥがＧＮＳＳに基づくタイミング信号に直接同期される、Ｃ２１の装置。
［Ｃ２４］  前記リザーブビットは前記第１のＵＥが他のＵＥを介してＧＮＳＳに基づくタイミング信号に間接的に同期される、Ｃ２１の装置。
［Ｃ２５］  前記同期信号は前記第１のＵＥがＧＮＳＳに基づくタイミング信号に直接同期されるとき第１の同期オフセットインジケータにより示されるリソース上に送信される、Ｃ１９の装置。
［Ｃ２６］  前記同期信号は、他のＵＥを介して前記第１のＵＥがＧＮＳＳに基づくタイミング信号に間接的に同期されるとき第２の同期オフセットインジケータにより示されるリソース上に送信される、Ｃ１９の装置。
［Ｃ２７］  前記同期信号を用いることは固定ＣＲＣマスクを物理サイドリンクブロードキャストチャネルに適用する手段を備える、Ｃ１９の装置。
［Ｃ２８］  無線通信のためのコンピュータ実行可能なコードを記憶するコンピュータ可読媒体において、前記コンピュータ実行可能なコードは、
前記第１のＵＥにおいて１つまたは複数の同期信号の優先度を示す同期情報を含む１つまたは複数の同期信号を受信し、
前記同期信号の前記優先度を示す前記情報に基づいて前記１つまたは複数の同期信号のいずれに同期するかを決定し、
前記決定された優先順位に基づいて前記１つまたは複数の同期信号のうちの第１の同期信号に同期し、
前記第１のＵＥが前記第１の同期信号に同期されることを示す同期信号を送信する、ためのコードを備える、コンピュータ可読媒体。
［Ｃ２９］  第１のＵＥにおける無線通信の方法において、
１つまたは複数の同期信号の優先度を示す同期情報を含む前記１つまたは複数の同期信号を受信することと、
前記同期信号の前記優先度を示す前記情報に基づいて前記１つまたは複数の同期信号のいずれに同期するかを決定することと、
前記優先順位に基づいて前記１つまたは複数の同期信号の前記同期信号の第１の同期信号に同期することと、
前記第１のＵＥが前記第１の同期信号に同期されることを示す同期信号を送信することと、
を備える、方法。
［Ｃ３０］  前記同期信号の前記優先度を示す前記情報は前記同期信号がＧＮＳＳ信号に基づくかどうかについての情報である、Ｃ２９の方法。